【手続補正書】
【提出日】平成30年1月26日(2018.1.26)
【手続補正１】
【補正対象書類名】特許請求の範囲
【補正対象項目名】全文
【補正方法】変更
【補正の内容】
【特許請求の範囲】
【請求項１】
タッチシステムにおけるシャドー効果を低減する方法であって、
タッチインターフェース上のタッチ入力を受信するステップであって、前記タッチ入力を受信するステップは複数のタッチ信号を受信するステップを含み、各タッチ信号は、前記タッチの位置と、前記タッチの前記位置での前記タッチ入力の振幅とを含む、ステップと、
前記位置の情報の重み付き平均を決定するステップであって、前記振幅の情報が前記重み付き平均の重み係数として使用され、前記重み付き平均が前記タッチインターフェース上の前記タッチ入力の推定タッチ位置を示す、ステップと、
前記重み付き平均と前記位置の情報の算術平均との間の差分を決定するステップと、
前記タッチ入力の前記推定タッチ位置を前記差分に基づいて調整するステップと
を備える方法。
【請求項２】
前記タッチ入力を受信するステップが、前記タッチインターフェースの複数のタッチセンサーからの情報を受信するステップを備え、
前記複数のタッチセンサーの各々からの前記情報が、前記推定タッチ位置のx位置の値、y位置の値、および振幅を表し、
前記調整するステップが、前記推定タッチ位置の前記x位置の値および前記y位置の値のうちの1つまたは複数を、前記差分に基づいて調整するステップを備える、請求項1に記載の方法。
【請求項３】
前記推定タッチ位置を調整するステップは、前記差分が第1のしきい値を下回るときは重心の値に、前記差分が前記第1のしきい値に等しいかまたはそれを上回るときは前記差分に基づく値に、前記推定タッチ位置を調整するステップを備える、請求項2に記載の方法。
【請求項４】
前記複数のタッチ信号の前記タッチ入力の最大振幅を識別するステップと、
前記算術平均を決定するステップと
をさらに備える、請求項1に記載の方法。
【請求項５】
前記タッチインターフェースは、前記タッチインターフェースのどのセクタが前記タッチ入力のシャドー効果を含むのかを決定するために、セクタ境界線によって複数のセクタに分割される、請求項1に記載の方法。
【請求項６】
前記セクタ境界線が、前記重み付き平均および前記算術平均のうちの1つを通過する、請求項5に記載の方法。
【請求項７】
前記タッチインターフェースは、前記タッチ入力の中のセンサーノードのすべてからの振幅と比較して、前記振幅が最大の前記タッチインターフェースの前記センサーノードを通過するセクタ境界線によってセクタに分割される、請求項5に記載の方法。
【請求項８】
最も大きい振幅を有するタッチ信号がリストの中で最初に現れるような、降順の前記リストにおいて前記複数のタッチ信号をソートするステップと、
前記複数のタッチ信号の最大振幅を決定し、前記最大振幅を有する前記タッチ信号を抽出タッチ信号に追加するステップと、
前記最大振幅を有するセンサーノードに近接した前記センサーノードにおける前記複数のタッチ信号をサンプリングし、前記サンプリングされた信号の振幅が第2のしきい値を上回る場合、1つまたは複数の近隣信号を前記抽出タッチ信号の中に含めるステップと、
前記最大振幅を有する前記センサーノードに近接したセンサーノードにおける前記複数のタッチ信号をサンプリングし、前記サンプリングされたタッチ信号の数が第3のしきい値に到達すること、前記タッチ信号の振幅が第4のしきい値を下回ること、および前記タッチ信号の振幅が第1のしきい値を下回ることのうちの1つまで、前記1つまたは複数の近隣センサーノードのタッチ信号を前記抽出タッチ信号の中に含めるステップと
をさらに備える、請求項5に記載の方法。
【請求項９】
前記複数のタッチ信号のうちの1つの振幅と近隣センサーノードのタッチ信号の振幅との間の差分が第5のしきい値を下回るとき、または前記抽出タッチ信号の中のタッチ信号の数が所定のしきい値を越えるとき、サンプリングすることを中止するステップをさらに備える、請求項8に記載の方法。
【請求項１０】
プロセッサと、
タッチデバイスと、
前記プロセッサに動作可能に結合されるとともにプロセッサ命令を記憶するように構成されたメモリと
を備える、タッチ入力をフィルタ処理するための装置であって、
前記プロセッサ命令は、
タッチインターフェース上のタッチ入力を受信することであって、前記タッチ入力を受信することは複数のタッチ信号を受信することを含み、各タッチ信号は、前記タッチの位置と、前記タッチの前記位置での前記タッチ入力の振幅とを含む、ことと、
前記位置の情報の重み付き平均を決定することであって、前記振幅の情報が前記重み付き平均の重み係数として使用され、前記重み付き平均が前記タッチインターフェース上の前記タッチ入力の推定タッチ位置を示す、ことと、
前記重み付き平均と前記位置の情報の算術平均との間の差分を決定することと、
前記タッチ入力の前記推定タッチ位置を前記差分に基づいて調整することと
を行うように前記プロセッサを構成する、装置。
【請求項１１】
前記タッチ入力を受信することが、前記タッチインターフェースの複数のタッチセンサーからの情報を受信することを備え、
前記複数のタッチセンサーの各々からの前記情報が、前記推定タッチ位置のx位置の値、y位置の値、および振幅を表し、
前記メモリが、前記推定タッチ位置の前記x位置の値および前記y位置の値のうちの1つまたは複数を、前記差分に基づいて調整するように、前記プロセッサを構成するプロセッサ命令を記憶するようにさらに構成され、
前記推定タッチ位置を調整することは、前記差分が第1のしきい値を下回るときは前記重み付け平均の値に、前記差分が前記第1のしきい値に等しいかまたはそれを上回るときは前記差分に基づく値に、前記推定タッチ位置を調整することを備える、請求項10に記載の装置。
【請求項１２】
前記メモリは、
前記複数のタッチ信号の前記タッチ入力の最大振幅を識別することと、
前記タッチ入力の前記算術平均を決定することと
を行うように前記プロセッサを構成するプロセッサ命令を記憶するようにさらに構成される、請求項10に記載の装置。
【請求項１３】
前記タッチインターフェースは、前記タッチインターフェースのどのセクタが前記タッチ入力のシャドー効果を含むのかを決定するために、セクタ境界線によって複数のセクタに分割される、請求項12に記載の装置。
【請求項１４】
前記セクタ境界線が、前記重み付き平均および前記算術平均のうちの1つを通過するか、又は、
前記タッチインターフェースは、前記タッチ入力の中のセンサーノードのすべてからの振幅と比較して、前記振幅が最大の前記タッチインターフェースの前記センサーノードを通過するセクタ境界線によってセクタに分割されるか、又は、
前記メモリは、
最も大きい振幅を有するタッチ信号がリストの中で最初に現れるような、降順の前記リストにおいて前記複数のタッチ信号をソートすることと、
前記複数のタッチ信号の最大振幅を決定し、前記最大振幅を有する前記タッチ信号を抽出タッチ信号に追加することと、
前記最大振幅を有する前記センサーノードに近接したセンサーノードにおける前記複数のタッチ信号をサンプリングし、前記サンプリングされたタッチ信号の振幅が第2のしきい値を上回る場合、1つまたは複数の近隣タッチ信号を前記抽出タッチ信号の中に含めることと、
前記最大振幅を有する前記センサーノードに近接したセンサーノードにおける前記複数のタッチ信号をサンプリングし、前記サンプリングされたタッチ信号の数が第3のしきい値に到達すること、前記タッチ信号の振幅が第4のしきい値を下回ること、および前記タッチ信号の振幅が第1のしきい値を下回ることのうちの1つまで、前記1つまたは複数の近隣タッチ信号を前記抽出タッチ信号の中に含めることと、
前記複数のタッチ信号のうちの1つの振幅と近隣センサーノードのタッチ信号の振幅との間の差分が第5のしきい値を下回るとき、サンプリングすることを中止することと
を行うように前記プロセッサを構成するプロセッサ命令を記憶するようにさらに構成される、請求項13に記載の装置。
【請求項１５】
実行されたとき、少なくとも1つの物理的コンピュータプロセッサに、タッチシステムにおけるシャドー効果を低減する方法を実行させる命令を記憶する非一時的コンピュータ可読記憶媒体であって、前記方法は、
タッチインターフェース上のタッチ入力を受信することであって、前記タッチ入力を受信することは複数のタッチ信号を受信することを含み、各タッチ信号は、前記タッチの位置と、前記タッチの前記位置での前記タッチ入力の振幅とを含む、ことと、
前記位置の情報の重み付き平均を決定することであって、前記振幅の情報が前記重み付き平均の重み係数として使用され、前記重み付き平均が前記タッチインターフェース上の前記タッチ入力の推定タッチ位置を示す、ことと、
前記重み付き平均と前記位置の情報の算術平均との間の差分を決定することと、
前記タッチ入力の前記推定タッチ位置を前記差分に基づいて調整することと
を備える、
非一時的コンピュータ可読記憶媒体。